【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
関連するユーザのコミュニティのメディア・アイテム・レーティングに基づき、ユーザにメディア・アイテム・レーティングを提供するためにコンピュータによって実行される方法であって、
ユーザに、前記ユーザと関連する情報を収集して前記ユーザを関連するユーザのコミュニティの中でカテゴリ化するための選択要素を提示するステップと、
前記提示された選択要素に応答して前記ユーザからユーザと関連する情報を受け取るステップであって、ユーザと関連する前記情報が、前記ユーザに関連する人口学的情報を含み、前記人口学的情報が、前記ユーザの年齢と前記ユーザの性別と前記ユーザの居住国と前記ユーザのメーリング・コードと前記ユーザによって話される好適な言語とのうちの少なくとも１つを含んでなるステップと、
前記受け取られたユーザと関連する情報に基づいて、前記ユーザを、関連するユーザのコミュニティの中でカテゴリ化するステップであって、前記ユーザに関連する前記の受け取られた人口学的情報に基づいて、前記ユーザを、関連するユーザのコミュニティの中でカテゴリ化することを含むステップと、
関連するユーザの前記コミュニティによるそれぞれの前記メディア・アイテムのレーティングに基づいて、前記ユーザによってアクセス可能な複数のメディア・アイテムのそれぞれに対するコミュニティ・レーティングを提供するステップであって、複数の前記提供されるコミュニティ・レーティングが前記ユーザに対して視覚的に表示されるステップと、
を含むことを特徴とする方法。
【請求項２】
請求項１記載の方法において、前記ユーザをカテゴリ化する前記ステップは、前記ユーザの年齢と前記ユーザの性別と前記ユーザの好適なメディア・アイテム・ジャンルとに基づいて、前記ユーザを、関連するユーザのコミュニティの中でカテゴリ化するステップを含むことを特徴とする方法。
【請求項３】
請求項１記載の方法において、
ユーザの活動レベルが最小スレショルドを超えるときには、前記ユーザによってレーティングがなされたメディア・アイテムのユーザ・レーティングを収集するステップと、
前記収集されたユーザ・レーティングを前記レーティングがなされたメディア・アイテムに対する前記コミュニティ・レーティングと組み合わせるステップと、
を更に含むことを特徴とする方法。
【請求項４】
請求項３記載の方法において、前記ユーザによってレーティングがなされたメディア・アイテムのユーザ・レーティングを収集する前記ステップは、前記ユーザに関する前記受け取られた人口学的情報を用いて前記ユーザ・レーティングにタグ付けするステップを更に含むことを特徴とする方法。
【請求項５】
請求項３記載の方法において、前記収集するステップは、前記ユーザ活動がメディア・アイテムのレーティングとメディア・アイテムの再生とメディア・アイテムのスキップとの中の少なくとも１つを時間周期Ｔの間に少なくともＸ回含むときに前記ユーザ・レーティングを収集するステップを更に含むことを特徴とする方法。
【請求項６】
請求項３記載の方法において、前記収集するステップは、前記ユーザ活動が、時間周期Ｔ１の間の合計が範囲Ｒ１に含まれるメディア・アイテム・レーティングの記録と時間周期Ｔ２の間に合計が範囲Ｒ２に含まれるメディア・アイテムの再生とのうちの少なくとも一方を含むときに前記ユーザ・レーティングを収集するステップを更に含むことを特徴とする方法。
【請求項７】
請求項１記載の方法において、ユーザ活動のレベルが最大スレショルドを超えるときには前記ユーザによってレーティングがなされたメディア・アイテムのユーザ・レーティングの収集を拒絶するステップを更に含むことを特徴とする方法。
【請求項８】
請求項１記載の方法において、人口学的情報を受け取る前記ステップは、人口学的情報の提出のユーザによる拒絶を受け取るステップを含み、前記ユーザをカテゴリ化するステップは、人口学的情報の提出を拒絶するユーザのコミュニティの中で前記ユーザをカテゴリ化するステップを含むことを特徴とする方法。
【請求項９】
請求項１記載の方法において、提供する前記ステップは、前記コミュニティ・レーティングがある時間間隔の間で上向きの傾向があるのか、前記時間間隔の間で下向きの傾向があるのか、前記時間間隔の間でその位置を維持する傾向にあるのかを指示する前記コミュニティ・レーティングのうちの１つと関連する傾向インジケータを提供するステップを含み、前記傾向インジケータが、前記コミュニティ・レーティングとともに前記ユーザに視覚的に表示されることを特徴とする方法。
【請求項１０】
請求項１記載の方法において、
ユーザの前記コミュニティによるレーティングの変化に基づいて少なくとも１つのメディア・アイテムに対するコミュニティ・レーティングを改訂するステップと、
提供された前記コミュニティ・レーティングを前記改訂されたコミュニティ・レーティングと交換するステップと、
を更に含むことを特徴とする方法。
【請求項１１】
請求項１記載の方法において、少なくとも１つの時間周期が経過し、ユーザがレーティング更新を要求し、ユーザが１又は複数の最小活動スレショルドを満たすとき、少なくとも１つのメディア・アイテムに対するコミュニティ・レーティングを改訂するステップを更に含むことを特徴とする方法。
【請求項１２】
請求項１記載の方法において、前記ユーザによって表現されたレーティングで、前記提供されたコミュニティ・レーティングのうちの少なくとも１つをオーバライドするステップを更に含むことを特徴とする方法。
【請求項１３】
請求項１記載の方法において、
別のメディア・アイテムに対する自動ユーザ・レーティングを、前記別のメディア・アイテムを用いたユーザの再生経験に基づいて生成するステップと、
前記提供するステップが前記別のメディア・アイテムに対するコミュニティ・レーティングを提供するステップを更に含むときには、前記別のメディア・アイテムに対する前記自動ユーザ・レーティングを、前記別のメディア・アイテムに対するコミュニティ・レーティングと交換するステップと、
を更に含むことを特徴とする方法。
【請求項１４】
請求項１記載の方法において、メディア・アイテムに対する前記コミュニティ・レーティングを提供する前記ステップは、音楽メディア・アイテムとスピーチ・メディア・アイテムとオーディオ・ブックとニュース・レポートと動画と映画の予告編とオーディオ・ブログと無線ブロードキャストとテレビジョン・ブロードキャストとイメージとコメディ・ルーチンとの中の少なくとも１つに対するコミュニティ・レーティングを提供するステップを含むことを特徴とする方法。
【請求項１５】
関連するユーザのコミュニティのメディア・アイテム・レーティングに基づくメディア・アイテム・レーティングをユーザに提供するコンピュータ実行可能な命令を有するコンピュータ可読な媒体であって、ステップを実行する前記コンピュータ実行可能な命令は、
ユーザに、前記ユーザと関連する情報を収集して前記ユーザを関連するユーザのコミュニティの中でカテゴリ化するための選択要素を提示する提示命令と、
前記提示された選択要素に応答して前記ユーザからユーザと関連する情報を受け取る命令であって、ユーザと関連する前記情報が、前記ユーザに関連する人口学的情報を含み、前記人口学的情報が、前記ユーザの年齢と前記ユーザの性別と前記ユーザの居住国と前記ユーザのメーリング・コードと前記ユーザによって話される好適な言語とのうちの少なくとも１つを含んでなる受け取り命令と、
前記受け取られたユーザと関連する情報に基づいて、前記ユーザを、関連するユーザのコミュニティの中でカテゴリ化する命令であって、前記ユーザに関連する前記の受け取られた人口学的情報に基づいて、前記ユーザを、関連するユーザのコミュニティの中でカテゴリ化することを含むカテゴリ化命令と、
関連するユーザの前記コミュニティによるそれぞれの前記メディア・アイテムのレーティングに基づいて、前記ユーザによってアクセス可能な複数のメディア・アイテムのそれぞれに対するコミュニティ・レーティングを提供する命令であって、複数の前記提供されるコミュニティ・レーティングが前記ユーザに対して視覚的に表示される提供命令と、
を含むことを特徴とするコンピュータ読取可能な媒体。
【請求項１６】
請求項１５記載のコンピュータ読取可能な媒体において、
ユーザの前記コミュニティによるレーティングの変化に基づいて少なくとも１つの前記メディア・アイテムに対する前記コミュニティ・レーティングを改訂する改訂命令と、
前記提供された前記コミュニティ・レーティングを前記改訂されたコミュニティ・レーティングと交換する交換命令と、
を更に含むことを特徴とするコンピュータ読取可能な媒体。
【請求項１７】
請求項１５記載のコンピュータ読取可能な媒体において、前記提供することは、前記コミュニティ・レーティングがある時間間隔の間で上向きの傾向があるのか、前記時間間隔の間で下向きの傾向があるのか、前記時間間隔の間でその位置を維持する傾向にあるのかを指示する前記コミュニティ・レーティングと関連する傾向インジケータを提供することを含み、前記傾向インジケータが、前記コミュニティ・レーティングとともに前記ユーザに視覚的に表示されるコンピュータ読取可能な媒体。
【請求項１８】
関連するユーザのコミュニティのメディア・アイテム・レーティングに基づいて複数のユーザにメディア・アイテム・レーティングを提供するシステムであって、前記複数のユーザはネットワークを介して前記システムに接続するシステムにおいて、
前記ネットワークに接続されており、それぞれのユーザから前記ユーザ関連情報を受け取るサーバであって、ユーザと関連する前記情報が、前記ユーザに関連する人口学的情報を含み、前記人口学的情報が、前記ユーザの年齢と前記ユーザの性別と前記ユーザの居住国と前記ユーザのメーリング・コードと前記ユーザによって話される好適な言語とのうちの少なくとも１つを含んでなるサーバと、
前記サーバに接続されており、前記ユーザのそれぞれからの前記情報を記憶するデータベースと、
を備えており、前記サーバは、
前記受け取られたユーザ関連情報に基づいて、それぞれのユーザが、該ユーザに関係する前記受け取られた人口学的情報に基づいて、関連するユーザのそれぞれのコミュニティの中でカテゴリ化されるよう、関連するユーザのそれぞれのコミュニティの中でそれぞれのユーザをカテゴリ化し、
前記ユーザの中の１人又は複数人からメディア・アイテムの１つ又は複数のユーザ・レーティングを収集し、
前記それぞれのメディア・アイテムのレーティングを行う前記それぞれのユーザから受け取られた前記ユーザ関連情報を用いて、前記１つ又は複数の収集されたユーザ・レーティングをタグ付けし、
前記収集された１つ又は複数のユーザ・レーティングを前記データベースに記憶し、
前記コミュニティに属するユーザから収集されたレーティングだけに基づいて、レーティングがなされたそれぞれのメディア・アイテムに対するコミュニティ・レーティングを計算し、
前記メディア・アイテムに対する１つ又は複数の前記計算されたコミュニティ・レーティングを、前記レーティングと共に前記コミュニティを共有する１つ又は複数のユーザに提供する
よう更に構成されることを特徴とするシステム。
【請求項１９】
請求項１８記載のシステムであって、前記サーバによって１つ又は複数のユーザに対して提供される前記１つ又は複数の計算されたコミュニティ・レーティングが、前記コミュニティ・レーティングがある時間間隔の間で上向きの傾向があるのか、前記時間間隔の間で下向きの傾向があるのか、前記時間間隔の間でその位置を維持する傾向にあるのかを指示する前記コミュニティ・レーティングと関連する傾向インジケータを含み、前記傾向インジケータが、前記コミュニティ・レーティングとともに前記ユーザに視覚的に表示されるシステム。